(57)【要約】【課題】二層以上の記録層を持つ光ディスクの全記録領域において、最適な記録パワーで記録できる記録パワー調整方法を提供する。【解決手段】二層以上の記録層を持つ光ディスクの記録において、半透過膜で生成された光ディスクの反射層の膜厚情報を予め実装した光ディスク装置のファームウェア上、あるいは予め膜厚情報を格納した光ディスクから取得し、記録パワーの調整係数を算出する。算出した調整係数を用いて第二層以降の記録開始パワー、ならびに追記時の追記開始パワー記録パワーを設定することにより、光ディスクの全記録領域において最適な記録パワーで記録できる。【選択図】図１
2008243339.tif 000002
【特許請求の範囲】
【請求項１】
二層以上の記録層を持つ光ディスクに対して記録する光ディスク装置であって、
光ディスクの反射層の膜厚情報、
あるいは膜厚情報から記録パワーの調整係数を算出する演算係数、
あるいは膜厚情報から算出した記録パワーの調整係数
が書き込まれたデータベースと、
セットされた光ディスクを特定して前記データベースを検索して前記膜厚情報または前記演算係数または前記調整係数を読み出して前記光ディスクの各記録層の記録パワーを決定する制御手段と
を設けた光ディスク装置。
【請求項２】
二層以上の記録層を持つ光ディスクであって、
反射層の膜厚情報、
あるいは膜厚情報から記録パワーの調整係数を算出する演算係数、
あるいは膜厚情報から算出した記録パワーの調整係数
が情報領域に記録された
光ディスク。
【請求項３】
セットされた光ディスクから反射層の膜厚情報を読み出すか、あるいはセットされた光ディスクに応じてデータベースを検索して光ディスクの反射層の膜厚情報を読み出し、この読み出した膜厚情報から記録パワーの調整係数を算出するステップと、
各記録層で記録パワーを決定する学習を行って各記録層の記録パワーを決定しその記録パワーで第Ｎ番目の記録層の記録を開始するステップと、
第Ｎ＋１番目の記録層の記録開始パワーに、記録開始アドレスに応じた前記記録パワーの調整係数で調整を行い記録を開始するステップと
を備えた光ディスク装置の記録調整方法。
【請求項４】
セットされた光ディスクから反射層の膜厚情報を読み出すか、あるいはセットされた光ディスクに応じてデータベースを検索して光ディスクの反射層の膜厚情報を読み出して、この読み出した膜厚情報から記録パワーの調整係数を算出するステップと、
各記録層で記録パワーを決定する学習を行って各記録層の記録パワーを決定しその記録パワーに追記アドレスに応じた前記記録パワーの調整係数で調整を行い記録を開始するステップと、
第Ｎ＋１番目の記録層の記録開始パワーに、記録開始アドレスに応じた前記調整係数で記録パワーの調整を行い記録を開始するステップと
を備えた光ディスク装置の記録調整方法。
【請求項５】
セットされた光ディスクから反射層の膜厚情報を読み出すか、あるいはセットされた光ディスクに応じてデータベースを検索して光ディスクの反射層の膜厚情報を読み出して、この読み出した膜厚情報から記録パワーの調整係数を算出するステップと、
各記録層で記録パワーを決定する学習を行って各記録層の記録パワーを決定し、その記録パワーで第Ｎ番目の記録層の記録を開始する、あるいは追記において、その記録パワーに前記記録パワーの調整係数で追記開始アドレスに応じた調整を行い記録を開始するステップと、
第Ｎ＋１番目の記録層の記録開始パワーに、記録開始アドレスに応じた前記記録パワーの調整係数で調整を行い記録を開始するステップと
を備え、記録中に前記記録パワーの調整係数で記録するアドレスに応じた記録パワーの調整を行う
光ディスク装置の記録調整方法。
【請求項６】
セットされた光ディスクから反射層の膜厚情報を読み出し、ディスク情報を基にデータベースから記録パワーの調整係数を算出するための演算係数を取得し膜厚情報と演算係数から記録パワーの調整係数を算出するステップと、
各記録層で記録パワーを決定する学習を行って各記録層の記録パワーを決定し、その記録パワーで第Ｎ番目の記録層の記録を開始するステップと、
第Ｎ＋１番目の記録層の記録開始パワーに、記録開始アドレスに応じた前記記録パワーの調整係数で調整を行い記録を開始するステップ
を備えた
光ディスク装置の記録調整方法。
【請求項７】
セットされた光ディスクから反射層の膜厚情報を読み出し、ディスク情報を基にデータベースから記録パワーの調整係数を算出するための演算係数を取得し膜厚情報と演算係数から記録パワーの調整係数を算出するステップと、
各記録層で記録パワーを決定する学習を行って各記録層の記録パワーを決定し、その記録パワーに前記調整係数で追記開始アドレスに応じた調整を行い第Ｎ番目の記録層の記録を開始するステップと、
第Ｎ＋１番目の記録層の記録開始パワーに記録開始アドレスに応じた前記調整係数で調整を行い記録を開始するステップと
を備えた
光ディスク装置の記録調整方法。
【請求項８】
セットされた光ディスクから反射層の膜厚情報を読み出し、ディスク情報を基にデータベースから記録パワーの調整係数を算出するための演算係数を取得し膜厚情報と演算係数から記録パワーの調整係数を算出するステップと、
各記録層で記録パワーを決定する学習を行って各記録層の記録パワーを決定し、その記録パワーで第Ｎ番目の記録層の記録を開始する、あるいは追記において、その記録パワーに前記記録パワーの調整係数で追記開始アドレスに応じた調整を行い記録を開始するステップと、
第Ｎ＋１番目の記録層の記録開始パワーに記録開始アドレスに応じた前記調整係数で調整を行い記録を開始するステップと
を備え、記録中に前記記録パワーの調整係数で記録するアドレスに応じた記録パワーの調整を行う
光ディスク装置の記録調整方法。
【請求項９】
セットされた光ディスクに応じてデータベースを検索して記録パワーの調整係数を読み出すか、あるいは前記光ディスクに予め格納された調整係数を取得するステップと、
各記録層で記録パワーを決定する学習を行って各記録層の記録パワーを決定し、その記録パワーで第Ｎ番目の記録層の記録を開始するステップと、
第Ｎ＋１番目の記録層の記録開始パワーに、記録開始アドレスに応じた前記記録パワーの調整係数で調整を行い記録を開始するステップと
を備えた
光ディスク装置の記録調整方法。
【請求項１０】
セットされた光ディスクに応じてデータベースを検索して記録パワーの調整係数を読み出すか、あるいは前記光ディスクに予め格納された調整係数を取得するステップと、
各記録層で記録パワーを決定する学習を行って各記録層の記録パワーを決定し、その記録パワーに前記調整係数で追記開始アドレスに応じた調整を行い第Ｎ番目の記録層への記録を開始するステップと、
第Ｎ＋１番目の記録層の記録開始パワーを、記録開始アドレスに応じた前記調整係数で調整を行い記録を開始するステップと
を備えた
光ディスク装置の記録調整方法。
【請求項１１】
セットされた光ディスクに応じてデータベースを検索して記録パワーの調整係数を読み出すか、あるいは前記光ディスクに予め格納された調整係数を取得するステップと、
各記録層で記録パワーを決定する学習を行って各記録層の記録パワーを決定し、その記録パワーで第Ｎ番目の記録層の記録を開始する、あるいは追記において、その記録パワーに前記調整係数で追記開始アドレスに応じた調整を行い記録を開始するステップと、
第Ｎ＋１番目の記録層の記録開始パワーに、記録開始アドレスに応じた前記記録パワーの調整係数で調整を行い記録を開始するステップと
を備え、記録中に前記調整係数で記録するアドレスに応じた記録パワーの調整を行う
光ディスク装置の記録調整方法。
【発明の詳細な説明】
【技術分野】
【０００１】
本発明は、光ディスク装置の記録パワー調整方法に関し、より詳細には、二層以上の記録層を持つ光ディスクの記録パワー調整方法に関するものである。
【背景技術】
【０００２】
従来、二層以上（ｎ層とする  ｎ≧１）の記録層を持つ光ディスクに記録を行うにあたっては、始めに各記録層で記録パワーを決定する学習を行って各記録層の記録パワーを決定し、その記録パワーから第一層と各記録層との層間の記録パワー比を算出する。その後、第一層（ｎ＝０）は学習で決定した記録パワーで記録を行い、第二層以降残りの記録層（ｎ≧１）は各層の記録開始アドレスと同じ半径位置における第一層の記録パワーに、前記層間の記録パワー比を乗算して記録パワーを決定している（例えば、特許文献１参照）。
【特許文献１】特開平１１−３５５０号公報
【発明の開示】
【発明が解決しようとする課題】
【０００３】
しかしながら、前記従来の記録方法では、層間の記録パワー比が光ディスクの半径位置に関係なく常に一定である必要があるが、反射層の半透過膜の厚さは同じ層においても一定ではない。そのため、各記録層間の記録パワー比が異なり、最適な記録パワーに設定できないという課題を有している。
【０００４】
また、前記課題に関連して、途中のアドレスから記録を開始するような追記動作において、最内周での記録パワーの学習結果を追記開始パワーとしている。しかし、反射層の半透過膜の厚さは半径方向に対して一定とはなっていないために、学習結果のパワーと追記開始パワーの最適値が異なり、最適な追記開始パワーが設定できないという課題を有している。
【０００５】
本発明は前記従来の課題を解決するもので、二層以上の記録層を持つ光ディスクの全記録領域において、最適な記録パワーで記録する光ディスク装置の記録パワー調整方法を提供することを目的とする。
【課題を解決するための手段】
【０００６】
本発明の請求項１記載の光ディスク装置は、二層以上の記録層を持つ光ディスクに対して記録する光ディスク装置であって、光ディスクの反射層の膜厚情報、あるいは膜厚情報から記録パワーの調整係数を算出する演算係数、あるいは膜厚情報から算出した記録パワーの調整係数が書き込まれたデータベースと、セットされた光ディスクを特定して前記データベースを検索して前記膜厚情報または前記演算係数または前記調整係数を読み出して前記光ディスクの各記録層の記録パワーを決定する制御手段とを設けたことを特徴とする。
【０００７】
本発明の請求項２記載の光ディスクは、二層以上の記録層を持つ光ディスクであって、反射層の膜厚情報、あるいは膜厚情報から記録パワーの調整係数を算出する演算係数、あるいは膜厚情報から算出した記録パワーの調整係数が情報領域に記録されたことを特徴とする。
【０００８】
本発明の請求項３記載の光ディスク装置の記録調整方法は、セットされた光ディスクから反射層の膜厚情報を読み出すか、あるいはセットされた光ディスクに応じてデータベースを検索して光ディスクの反射層の膜厚情報を読み出し、この読み出した膜厚情報から記録パワーの調整係数を算出するステップと、各記録層で記録パワーを決定する学習を行って各記録層の記録パワーを決定しその記録パワーで第Ｎ番目の記録層の記録を開始するステップと、第Ｎ＋１番目の記録層の記録開始パワーに、記録開始アドレスに応じた前記記録パワーの調整係数で調整を行い記録を開始するステップとを備えたことを特徴とする。
【０００９】
本発明の請求項４記載の光ディスク装置の記録調整方法は、セットされた光ディスクから反射層の膜厚情報を読み出すか、あるいはセットされた光ディスクに応じてデータベースを検索して光ディスクの反射層の膜厚情報を読み出して、この読み出した膜厚情報から記録パワーの調整係数を算出するステップと、各記録層で記録パワーを決定する学習を行って各記録層の記録パワーを決定しその記録パワーに追記アドレスに応じた前記記録パワーの調整係数で調整を行い記録を開始するステップと、第Ｎ＋１番目の記録層の記録開始パワーに、記録開始アドレスに応じた前記調整係数で記録パワーの調整を行い記録を開始するステップとを備えたことを特徴とする。
【００１０】
本発明の請求項５記載の光ディスク装置の記録調整方法は、セットされた光ディスクから反射層の膜厚情報を読み出すか、あるいはセットされた光ディスクに応じてデータベースを検索して光ディスクの反射層の膜厚情報を読み出して、この読み出した膜厚情報から記録パワーの調整係数を算出するステップと、各記録層で記録パワーを決定する学習を行って各記録層の記録パワーを決定し、その記録パワーで第Ｎ番目の記録層の記録を開始する、あるいは追記において、その記録パワーに前記記録パワーの調整係数で追記開始アドレスに応じた調整を行い記録を開始するステップと、第Ｎ＋１番目の記録層の記録開始パワーに、記録開始アドレスに応じた前記記録パワーの調整係数で調整を行い記録を開始するステップとを備え、記録中に前記記録パワーの調整係数で記録するアドレスに応じた記録パワーの調整を行うことを特徴とする。
【００１１】
本発明の請求項６記載の光ディスク装置の記録調整方法は、セットされた光ディスクから反射層の膜厚情報を読み出し、ディスク情報を基にデータベースから記録パワーの調整係数を算出するための演算係数を取得し膜厚情報と演算係数から記録パワーの調整係数を算出するステップと、各記録層で記録パワーを決定する学習を行って各記録層の記録パワーを決定し、その記録パワーで第Ｎ番目の記録層の記録を開始するステップと、第Ｎ＋１番目の記録層の記録開始パワーに、記録開始アドレスに応じた前記記録パワーの調整係数で調整を行い記録を開始するステップを備えたことを特徴とする。
【００１２】
本発明の請求項７記載の光ディスク装置の記録調整方法は、セットされた光ディスクから反射層の膜厚情報を読み出し、ディスク情報を基にデータベースから記録パワーの調整係数を算出するための演算係数を取得し膜厚情報と演算係数から記録パワーの調整係数を算出するステップと、各記録層で記録パワーを決定する学習を行って各記録層の記録パワーを決定し、その記録パワーに前記調整係数で追記開始アドレスに応じた調整を行い第Ｎ番目の記録層の記録を開始するステップと、第Ｎ＋１番目の記録層の記録開始パワーに記録開始アドレスに応じた前記調整係数で調整を行い記録を開始するステップとを備えたことを特徴とする。
【００１３】
本発明の請求項８記載の光ディスク装置の記録調整方法は、セットされた光ディスクから反射層の膜厚情報を読み出し、ディスク情報を基にデータベースから記録パワーの調整係数を算出するための演算係数を取得し膜厚情報と演算係数から記録パワーの調整係数を算出するステップと、各記録層で記録パワーを決定する学習を行って各記録層の記録パワーを決定し、その記録パワーで第Ｎ番目の記録層の記録を開始する、あるいは追記において、その記録パワーに前記記録パワーの調整係数で追記開始アドレスに応じた調整を行い記録を開始するステップと、第Ｎ＋１番目の記録層の記録開始パワーに記録開始アドレスに応じた前記調整係数で調整を行い記録を開始するステップとを備え、記録中に前記記録パワーの調整係数で記録するアドレスに応じた記録パワーの調整を行うことを特徴とする。
【００１４】
本発明の請求項９記載の光ディスク装置の記録調整方法は、セットされた光ディスクに応じてデータベースを検索して記録パワーの調整係数を読み出すか、あるいは前記光ディスクに予め格納された調整係数を取得するステップと、各記録層で記録パワーを決定する学習を行って各記録層の記録パワーを決定し、その記録パワーで第Ｎ番目の記録層の記録を開始するステップと、第Ｎ＋１番目の記録層の記録開始パワーに、記録開始アドレスに応じた前記記録パワーの調整係数で調整を行い記録を開始するステップとを備えたことを特徴とする。
【００１５】
本発明の請求項１０記載の光ディスク装置の記録調整方法は、セットされた光ディスクに応じてデータベースを検索して記録パワーの調整係数を読み出すか、あるいは前記光ディスクに予め格納された調整係数を取得するステップと、各記録層で記録パワーを決定する学習を行って各記録層の記録パワーを決定し、その記録パワーに前記調整係数で追記開始アドレスに応じた調整を行い第Ｎ番目の記録層への記録を開始するステップと、第Ｎ＋１番目の記録層の記録開始パワーを、記録開始アドレスに応じた前記調整係数で調整を行い記録を開始するステップとを備えたことを特徴とする。
【００１６】
本発明の請求項１１記載の光ディスク装置の記録調整方法は、セットされた光ディスクに応じてデータベースを検索して記録パワーの調整係数を読み出すか、あるいは前記光ディスクに予め格納された調整係数を取得するステップと、各記録層で記録パワーを決定する学習を行って各記録層の記録パワーを決定し、その記録パワーで第Ｎ番目の記録層の記録を開始する、あるいは追記において、その記録パワーに前記調整係数で追記開始アドレスに応じた調整を行い記録を開始するステップと、第Ｎ＋１番目の記録層の記録開始パワーに、記録開始アドレスに応じた前記記録パワーの調整係数で調整を行い記録を開始するステップとを備え、記録中に前記調整係数で記録するアドレスに応じた記録パワーの調整を行うことを特徴とする。
【発明の効果】
【００１７】
本発明によれば、二層以上の記録層を持つ光ディスクの全記録領域において、最適な記録パワーで記録することができる。
【発明を実施するための最良の形態】
【００１８】
以下に、本発明の光ディスク装置の記録パワー調整方法による実施の形態を図面とともに詳細に説明する。
（実施の形態１）
図９は本発明の光ディスク装置を示す。
【００１９】
この光ディスク装置１は、光ディスク２をスピンドルモータ３によって回転させる。このスピンドルモータ３の動作はサーボ回路４によって制御され、再生および記録時には光ディスク２が線速度一定で、もしくは角速度一定で回転するようにされる。また光ディスク２の再生および記録は、レーザビームＬＢ使用した光ピックアップ５を使用して行われる。光ピックアップ５のフォーカス、トラッキング、シーク等の動作はサーボ回路４によって制御される。
【００２０】
光ピックアップ５より出力される再生信号は再生信号処理回路６に供給され、再生信号の増幅やフィルタ処理が行われる。再生信号処理回路６で処理された再生信号は、システム処理回路７に供給されてディジタル復調、誤り訂正などの処理が行われて、光ディスク２に記録されたディジタルデータが得られる。このシステム処理回路７およびサーボ回路４の動作は、中央処理装置を要部としたシステムコントローラ９によって制御される。
【００２１】
なお、この実施の形態１では、光ディスク装置の運転に必要なファームウェアがシステムコントローラ９の記憶部に書き込まれており、そこには、使用が可能な光ディスクの反射層の膜厚情報、あるいは膜厚情報から記録パワーの調整係数を算出する演算係数、あるいは膜厚情報から算出した記録パワーの調整係数が書き込まれたデータベースも書き込まれている。
【００２２】
図１は制御手段としてのシステムコントローラ９の構成を示している。
光ディスク２に記録を行う際に、システムコントローラ９は次のように動作する。
まず始めに、ステップＳ１０では、初期起動を実行することによって、セットされている光ディスク２の識別を行う。例えば光ディスク２の種類を読み取り、読み取った光ディスク２の種類に応じてシステムコントローラ９のファームウェア（ＦＷ）に予め書き込まれている各光ディスクの反射層の膜厚情報、あるいは光ディスクに予め格納された膜厚情報を取得し、その膜厚情報から記録パワーの調整係数を算出する。
【００２３】
ステップＳ１１では、光ディスク２の各記録層の試し書き領域（ＰＣＡ  Power Calibration Area）で記録パワーを決定する学習を行い、各記録層の記録パワーを決定する。
ステップＳ１２では、ステップＳ１１で決定した記録パワーから、第一層と各記録層との層間の記録パワー比を算出し、光ディスク装置の内部メモリとしてのバッファ８に記憶すると記録前の処理は完了する。
【００２４】
その後のステップＳ１３では、第一層（ｎ＝０）の記録開始アドレスにシークし、学習で決定した記録パワーを開始パワーに設定する。
ステップＳ１４では、ステップＳ１３で決定した開始パワーで記録を開始する。
【００２５】
ステップＳ１５では、“第一層の記録終了後に引き続き記録が必要であるか”チェックする。ステップＳ１５において、“第一層の記録終了後に引き続き記録が必要である”と判定されたらステップＳ１６を実行して次の例えば第二層（ｎ＝１）へシークし、ステップＳ１７では、第一層の最終記録パワーに第一層と第二層との層間の記録パワー比を乗じて記録パワーを算出する。ステップＳ１８では、ステップＳ１７で算出した記録パワーにステップＳ１０で算出した記録パワーの調整係数で調整を行って、第二層の記録開始パワーを決定し、ステップＳ１４に戻って第二層の記録を開始する。以降の記録層（ｎ≧２）においても全ての記録が終了するまで同様に行う。
【００２６】
以上のように本実施の形態１において、ファームウェア上から取得した膜厚情報より記録パワーの調整係数を算出し、その調整係数を用いて第二層以降の各層（ｎ≧１）の記録開始パワーを調整することによって、二層以上の記録層を持つ光ディスクの全記録領域で、最適な記録パワーが得られる。
【００２７】
この実施の形態では、ファームウェア上から取得した膜厚情報より記録パワーの調整係数を算出して制御したが、光ディスク２から取得した膜厚情報より記録パワーの調整係数を算出して制御することもできる。
【００２８】
また、上記の各実施の形態において、記録アドレスの膜厚情報を基に調整係数で常に記録パワーの調整を行い記録することも可能である。
（実施の形態２）
図２は、実施の形態２における光ディスク装置の記録パワー調整方法のフローチャートであり、途中のアドレスから追記を行う点において実施の形態１と異なる。
【００２９】
まず始めに、ステップＳ２０では、初期起動を実行することによって、セットされている光ディスク２の識別を行う。例えば光ディスク２の種類を読み取り、読み取った光ディスク２の種類に応じてシステムコントローラ９のファームウェアに予め書き込まれている各光ディスクの反射層の膜厚情報、あるいは光ディスクに予め格納された膜厚情報を取得し、その膜厚情報から記録パワーの調整係数を算出する。
【００３０】
ステップＳ２１では、各記録層の試し書き領域（ＰＣＡ）で記録パワーを決定する学習を行い、各記録層の記録パワーを決定する。
ステップＳ２２では、その決定した記録パワーから第一層と各記録層との層間の記録パワー比を算出し、光ディスク装置の内部メモリとしてのバッファ８に記憶すると記録前の処理は完了する。
【００３１】
ステップＳ２３では、追記開始アドレスにシークする。
ステップＳ２４では、ステップＳ２１の学習で決定した記録パワーにステップＳ２０で算出した記録パワーの調整係数で調整を行って開始パワーに設定し、ステップＳ２５で記録を開始する。
【００３２】
ステップＳ２６では、“第一層の記録終了後に引き続き記録が必要であるか”チェックする。ステップＳ２６において“第一層の記録終了後に引き続き記録が必要である”と判定された場合には、ステップＳ２７を実行して第二層（ｎ＝１）へシークし、ステップＳ２８では、第一層の最終記録パワーに第一層と第二層との層間の記録パワー比を乗じて記録パワーを算出する。
【００３３】
ステップＳ２９では、ステップＳ２８で算出した記録パワーに、ステップＳ２０で求めた記録パワーの調整係数で調整を行って第二層の記録開始パワーを決定し、ステップＳ２５に戻って第二層の記録を開始する。以降の記録層（ｎ≧２）においても全ての記録が終了するまで同様に行う。
【００３４】
以上のように本実施の形態２において、ファームウェア上から取得した膜厚情報より記録パワーの調整係数を算出し、その調整係数で追記開始アドレスの記録開始パワー及び第二層以降の各層（ｎ≧１）の記録開始パワーを調整することによって、追記においても二層以上の記録層を持つ光ディスクの全記録領域で、最適な記録パワーが得られる。
【００３５】
この実施の形態では、ファームウェア上から取得した膜厚情報より記録パワーの調整係数を算出して制御したが、光ディスク２から取得した膜厚情報より記録パワーの調整係数を算出して制御することもできる。
【００３６】
また、記録アドレスの膜厚情報を基に調整係数で常に記録パワーの調整を行い記録することも可能である。
（実施の形態３）
図３は、光ディスク２から取得した膜厚情報と、システムコントローラ９のファームウェアから演算係数を取得し調整係数を算出する場合を示している。
【００３７】
実施の形態１及び２は取得した膜厚情報から、例えば層間の膜厚の比を算出するなどし、その比率を調整係数とする方法である。
単純に層間の膜厚情報だけの処理では不十分である場合、前記の例では膜厚の比に係数を加減乗除するなどの新たな計算を行い、調整係数を算出する。尚、その計算の際に使用する係数を演算係数とし、係数の有無に関わらず、計算によって得られた解を記録パワーの調整係数とする。
【００３８】
まず始めに、ステップＳ３０では、初期起動を実行することによって、光ディスク２に予め格納された光ディスクの反射層の膜厚情報を取得する。また、システムコントローラ９のファームウェア上からは膜厚情報から記録パワーの調整係数を算出するために必要な演算係数を取得し、その膜厚情報と演算係数から記録パワーの調整係数を算出する。
【００３９】
ステップＳ３１では、各記録層の試し書き領域（ＰＣＡ）で記録パワーを決定する学習を行い、各記録層の記録パワーを決定する。
ステップＳ３２では、ステップＳ３１で決定した記録パワーから第一層と各記録層との層間の記録パワー比を算出し、光ディスク装置の内部メモリとしてのバッファ８に記憶すると記録前の処理は完了する。
【００４０】
その後、第一層（ｎ＝０）の記録開始アドレスにシークし、ステップＳ３３では、ステップＳ３１で学習で決定した記録パワーを開始パワーに設定し、ステップＳ３４で記録を開始する。
【００４１】
ステップＳ３５では、“第一層の記録終了後に引き続き記録が必要であるか”チェックする。ステップＳ３５において、“第一層の記録終了後に引き続き記録が必要である”と判定されるとステップＳ３６を実行して第二層（ｎ＝１）へシークし、ステップＳ３７では、第一層の最終記録パワーに第一層と第二層との層間の記録パワー比を乗じて記録パワーを算出する。
【００４２】
ステップＳ３８では、ステップＳ３７で算出した記録パワーに先程算出した記録パワーの調整係数で調整を行って第二層の記録開始パワーを決定し、ステップＳ３４に戻って第二層の記録を開始する。以降の記録層（ｎ≧２）においても全ての記録が終了するまで同様に行う。
【００４３】
以上のように本実施の形態３において、光ディスクから取得した膜厚情報と、ファームウェア上から取得した演算係数から記録パワーの調整係数を算出し、その調整係数を用いて第二層以降の各層（ｎ≧１）の記録開始パワーを調整することによって、二層以上の記録層を持つ光ディスクの全記録領域で、最適な記録パワーが得られる。
【００４４】
また、記録アドレスの膜厚情報を基に調整係数で常に記録パワーの調整を行い記録することも可能である。
（実施の形態４）
図４は、実施の形態４における光ディスク装置の記録パワー調整方法のフローチャートであり、途中のアドレスから追記を行う点において実施の形態３と異なる。
【００４５】
単純に層間の膜厚情報だけの処理では不十分である場合、前記の例では膜厚の比に係数を加減乗除するなどの新たな計算を行い、調整係数を算出する。尚、その計算の際に使用する係数を演算係数とし、係数の有無に関わらず、計算によって得られた解を記録パワーの調整係数とする。
【００４６】
まず始めに、ステップＳ４０では、初期起動を実行することによって、光ディスク２に予め格納された光ディスクの反射層の膜厚情報を取得する。また、システムコントローラ９のファームウェア上からは膜厚情報から記録パワーの調整係数を算出するために必要な演算係数を取得し、その膜厚情報と演算係数から記録パワーの調整係数を算出する。
【００４７】
ステップＳ４１では、各記録層の試し書き領域（ＰＣＡ）で記録パワーを決定する学習を行い、各記録層の記録パワーを決定する。
ステップＳ４２では、ステップＳ４１で決定した記録パワーから第一層と各記録層との層間の記録パワー比を算出し、光ディスク装置の内部メモリとしてのバッファ８に記憶すると記録前の処理は完了する。
【００４８】
その後、ステップＳ４３では追記開始アドレスにシークし、ステップＳ４４では学習で決定した記録パワーに先程算出した記録パワーの調整係数で調整を行って開始パワーに設定し、ステップＳ４５で記録を開始する。
【００４９】
ステップＳ４６では、“第一層の記録終了後に引き続き記録が必要であるか”チェックする。ステップＳ４６において“第一層の記録終了後に引き続き記録が必要である”と判定された場合には、ステップＳ４７を実行して第二層（ｎ＝１）へシークし、ステップＳ４８を実行して第一層の最終記録パワーに第一層と第二層との層間の記録パワー比を乗じて記録パワーを算出する。
【００５０】
ステップＳ４９では、ステップＳ４８で算出した記録パワーに記録パワーの調整係数で調整を行って、第二層の記録開始パワーを決定し、ステップＳ４５に戻って第二層の記録を開始する。以降の記録層（ｎ≧２）においても全ての記録が終了するまで同様に行う。
【００５１】
以上のように本実施の形態４において、光ディスクから取得した膜厚情報と、ファームウェア上から取得した演算係数から記録パワーの調整係数を算出し、その調整係数で追記開始アドレスの記録開始パワー及び第二層以降の各層（ｎ≧１）の記録開始パワーを調整することによって、追記においても二層以上の記録層を持つ光ディスクの全記録領域で、最適な記録パワーが得られる。
【００５２】
また、記録アドレスの膜厚情報を基に調整係数で常に記録パワーの調整を行い記録することも可能である。
（実施の形態５）
図５は、システムコントローラ９のファームウェアまたは光ディスク２から調整係数を取得する場合を示している。
【００５３】
まず始めに、ステップＳ５０では、光ディスクに予め格納された調整係数を取得、または、セットされた光ディスクの識別を行い、システムコントローラ９のファームウェアに書き込まれているデータベースに照会して、光ディスクの反射層の膜厚情報から算出した記録パワーの調整係数を取得する。
【００５４】
ステップＳ５１では、各記録層の試し書き領域（ＰＣＡ）で記録パワーを決定する学習を行い、各記録層の記録パワーを決定する。
ステップＳ５２では、ステップＳ５１で決定した記録パワーから第一層と各記録層との層間の記録パワー比を算出し、光ディスク装置の内部メモリとしてのバッファ８に記憶すると記録前の処理は完了する。
【００５５】
ステップＳ５３では、第一層（ｎ＝０）の記録開始アドレスにシークし、学習で決定した記録パワーを開始パワーに設定し、ステップＳ５４で記録を開始する。
ステップＳ５５では、“第一層の記録終了後に引き続き記録が必要であるか”チェックする。ステップＳ５５において、“第一層の記録終了後に引き続き記録が必要である”と判定されたらステップＳ５６を実行して次の例えば第二層（ｎ＝１）へシークし、ステップＳ５７では、第一層の最終記録パワーに第一層と第二層との層間の記録パワー比を乗じて記録パワーを算出する。
【００５６】
ステップＳ５８では、ステップＳ５７で算出した記録パワーを、ステップＳ５０で取得した調整係数で調整を行って第二層の記録開始パワーを決定し、ステップＳ５４に戻って第二層の記録を開始する。以降の記録層（ｎ≧２）においても全ての記録が終了するまで同様に行う。
【００５７】
以上のように本実施の形態５において、ファームウェア上、あるいは光ディスクから取得した記録パワーの調整係数を用いて、第二層以降の各層（ｎ≧１）の記録開始パワーを調整することによって、二層以上の記録層を持つ光ディスクの全記録領域で、最適な記録パワーが得られる。
【００５８】
また、記録アドレスの膜厚情報を基に調整係数で常に記録パワーの調整を行い記録することも可能である。
（実施の形態６）
図６は、実施の形態６における光ディスク装置の記録パワー調整方法のフローチャートであり、途中のアドレスから追記を行う点において実施の形態５と異なる。
【００５９】
まず始めに、ステップＳ６０では、光ディスクに予め格納された調整係数を取得、または、セットされた光ディスクの識別を行い、システムコントローラ９のファームウェアに書き込まれているデータベースに照会して、光ディスクの反射層の膜厚情報から算出した記録パワーの調整係数を取得する。
【００６０】
ステップＳ６１では、各記録層の試し書き領域（ＰＣＡ）で記録パワーを決定する学習を行い、各記録層の記録パワーを決定する。
ステップＳ６２では、ステップＳ６１でその決定した記録パワーから第一層と各記録層との層間の記録パワー比を算出し、光ディスク装置の内部メモリとしてのバッファ８に記憶すると記録前の処理は完了する。
【００６１】
ステップＳ６３では、追記開始アドレスにシークする。
ステップＳ６４では、学習で決定した記録パワーに先程算出した記録パワーの調整係数で調整を行って開始パワーに設定し、ステップＳ６５で記録を開始する。
【００６２】
第一層の記録終了後にステップＳ６６では、“引き続き記録が必要であるか”判定する。
ステップＳ６６において、“引き続き記録が必要である”と判定された場合には、ステップＳ６７で第二層（ｎ＝１）へシークし、ステップＳ６８では第一層の最終記録パワーに第一層と第二層との層間の記録パワー比を乗じて記録パワーを算出する。
【００６３】
ステップＳ６９では、ステップＳ６８で算出した記録パワーに前記調整係数で調整を行って第二層の記録開始パワーを決定し、ステップＳ６５に戻って第二層の記録を開始する。以降の記録層（ｎ≧２）においても全ての記録が終了するまで同様に行う。
【００６４】
以上のように本実施の形態６において、ファームウェア上、あるいは光ディスクから取得した記録パワーの調整係数を用いて、追記開始アドレスの記録開始パワー及び第二層以降の各層（ｎ≧１）の記録開始パワーを調整することによって、追記においても二層以上の記録層を持つ光ディスクの全記録領域で、最適な記録パワーが得られる。
【００６５】
また、記録アドレスの膜厚情報を基に調整係数で常に記録パワーの調整を行い記録することも可能である。
なお、実施の形態１から実施の形態６において、前の層の最終記録パワーに層間の記録パワー比を乗じて記録パワーを算出する処理を行わず、最終記録パワーあるいは学習結果の記録パワーに調整係数を用いて、次層の記録開始パワーを決定してもよい。
【産業上の利用可能性】
【００６６】
本発明は、光ディスク装置における高品質の記録再生動作の実現に寄与できる。
【図面の簡単な説明】
【００６７】
【図１】本発明の記録パワー調整方法の実施の形態１におけるフローチャート
【図２】本発明の記録パワー調整方法の実施の形態２におけるフローチャート
【図３】本発明の記録パワー調整方法の実施の形態３におけるフローチャート
【図４】本発明の記録パワー調整方法の実施の形態４におけるフローチャート
【図５】本発明の記録パワー調整方法の実施の形態５におけるフローチャート
【図６】本発明の記録パワー調整方法の実施の形態６におけるフローチャート
【図７】従来における光ディスク装置の記録パワー調整方法のフローチャート
【図８】従来の追記における光ディスク装置の記録パワー調整方法のフローチャート
【図９】一般的な光ディスク装置の構成図
【符号の説明】
【００６８】
１    光ディスク装置
２    光ディスク
３    スピンドルモータ
４    サーボ回路
５    光ピックアップ
６    再生信号処理回路
７    システム処理回路
８    バッファ
９    システムコントローラ（制御手段）
【図１】
2008243339.tif 000003
【図２】
2008243339.tif 000004
【図３】
2008243339.tif 000005
【図４】
2008243339.tif 000006
【図５】
2008243339.tif 000007
【図６】
2008243339.tif 000008
【図７】
2008243339.tif 000009
【図８】
2008243339.tif 000010
【図９】
2008243339.tif 000011